(57)【要約】【課題】録画再生装置に録画された録画番組のうち予め設定された所定の期間に録画された録画番組に関する録画番組情報を表示させるためのユーザ操作を従来より簡略化すると共に，前記録画番組情報に関連のない映像を表示しながら該録画番組情報を表示させることのできる映像表示装置，録画再生装置及びこれらを備えた録画システムを提供すること。【解決手段】テレビジョン受像機Ｘの電源の立ち上がりを条件に，録画再生装置ＹのＨＤＤ２３に録画された録画番組のうち予め設定された所定の期間に録画された録画番組に関する録画番組情報を，ＣＥＣライン４２を通じて前記録画再生装置Ｙから前記テレビジョン受像機Ｘに伝送し（Ｓ２０４，Ｓ１０３），該テレビジョン受像機Ｘの映像表示部５に表示させる（Ｓ１０４）。【選択図】図３
2008103789.tif 000002
【特許請求の範囲】
【請求項１】
映像表示部を備え，映像信号を含む信号を伝送するＴＭＤＳ信号伝送ラインとＣＥＣ規格に準拠したＣＥＣ信号伝送ラインとを含みＨＤＭＩ規格に準拠した信号伝送を行うＨＤＭＩ信号伝送手段により，一又は複数の録画再生装置と通信可能に構成された映像表示装置であって，
当該映像表示装置の電源の立ち上がりを条件に，前記録画再生装置の記憶部に録画された録画番組のうち予め設定された所定の期間に録画された録画番組に関する録画番組情報を，前記ＨＤＭＩ信号伝送手段のＣＥＣ信号伝送ラインを通じて前記録画再生装置から取得する録画番組情報取得手段と，
前記録画番組情報取得手段により取得された前記録画番組情報を前記映像表示部に表示させる録画番組情報表示制御手段と，
を具備してなることを特徴とする映像表示装置。
【請求項２】
前記所定の期間が，当該映像表示装置の電源がＯＮ又はＯＦＦされてから次に当該映像表示装置の電源がＯＮされるまでの期間，或いは，前記録画再生装置の記憶部に録画された録画番組に最後にアクセスしたときから当該映像表示装置の電源がＯＮされるまでの期間である請求項１に記載の映像表示装置。
【請求項３】
前記録画番組情報が，番組名，放送日時，放送チャンネル，ジャンルのいずれか１又は複数を含んでなる請求項１又は２のいずれかに記載の映像表示装置。
【請求項４】
前記録画番組情報取得手段が，前記録画番組情報の送信を前記ＣＥＣ信号伝送ラインを通じて前記録画再生装置に対して要求し，これに応じて前記ＣＥＣ信号伝送ラインを通じて返信される前記録画番組情報を取得してなる請求項１〜３のいずれかに記載の映像表示装置。
【請求項５】
前記録画番組情報が前記映像表示部に表示された状態で，所定の操作部を通じた操作入力に従って前記録画番組を選択する録画番組選択手段と，
前記再生番組選択手段により選択された前記録画番組についての処理を実行することを，前記ＣＥＣ信号伝送ラインを通じて前記録画再生装置に指示する処理指示手段と，
を更に備えてなる請求項１〜４のいずれかに記載の映像表示装置。
【請求項６】
前記処理指示手段が前記録画再生装置に対して実行を指示する処理が，前記録画番組の再生処理及び削除処理の一方又は両方を含んでなる請求項５に記載の映像表示装置。
【請求項７】
前記録画番組情報表示制御手段が，前記録画番組情報取得手段によって複数の前記録画再生装置から複数の前記録画番組情報が取得された場合に，該複数の前記記録番組情報を編成して前記映像表示部に表示させるものである請求項１〜６のいずれかに記載の映像表示装置。
【請求項８】
映像信号を含む信号を伝送するＴＭＤＳ信号伝送ラインとＣＥＣ規格に準拠したＣＥＣ信号伝送ラインとを含みＨＤＭＩ規格に準拠した信号伝送を行うＨＤＭＩ信号伝送手段により，映像表示部を備えた映像表示装置と通信可能に構成された録画再生装置であって，
前記映像表示装置の電源の立ち上がりを検知する電源立上検知手段と，
前記電源立上検知手段により前記映像表示装置の電源の立ち上がりが検知されたことを条件に，当該録画再生装置の記憶部に録画された録画番組のうち予め設定された所定の期間に録画された録画番組に関する録画番組情報を前記ＨＤＭＩ信号伝送手段のＣＥＣ信号伝送ラインを通じて前記映像表示装置に出力する録画番組情報表示出力手段と，
を具備してなることを特徴とする録画再生装置。
【請求項９】
前記録画番組情報表示出力手段が、ＨＤＭＩ規格のＣＥＣ規格で規定された通信プロトコルのＯＳＤ表示コマンドを用いて前記録画番組情報を前記映像表示装置に送信することにより、該映像表示装置の前記映像表示部に前記録画番組情報を表示させるものである請求項８に記載の録画再生装置。
【請求項１０】
前記所定の期間が，前記映像表示装置の電源がＯＮ又はＯＦＦされてから次に前記映像表示装置の電源がＯＮされるまでの期間，或いは，当該録画再生装置の記憶部に録画された録画番組に最後にアクセスしたときから前記映像表示装置の電源がＯＮされるまでの期間である請求項８又は９のいずれかに記載の録画再生装置。
【請求項１１】
前記録画番組情報が，番組名，放送日時，放送チャンネル，ジャンルのいずれか１又は複数を含んでなる請求項８〜１０のいずれかに記載の録画再生装置。
【発明の詳細な説明】
【技術分野】
【０００１】
本発明は，ＨＤＭＩ（High Definition Multimedia Interface）規格に準拠した信号伝送手段を通じて通信を行う映像表示装置（テレビジョン受像機等）及び録画再生装置（ハードディスクレコーダ等）に関するものである。
【背景技術】
【０００２】
一般に，昨今の録画再生装置は，テレビジョン放送やインターネットを通じて電子番組ガイド（ＥＰＧ）情報を取得し，放送番組（映像及び音声）をハードディスクドライブ等の記憶部にデジタル録画する際に，その録画番組に関する録画番組情報も併せて記憶部に記憶させる機能を備えている。この録画番組情報には，例えばその録画番組の放送日時やチャンネル，番組のカテゴリ，番組内容，出演者などの各種の情報が含まれる。
このようにして録画再生装置で記憶された録画番組情報は，再生する録画番組を選択するための選択メニュー映像に含められる。この選択メニュー映像は，録画再生装置に信号伝送用ケーブルにより接続されたテレビジョン受像機の映像表示部に表示される。このとき，選択メニュー映像を表示させるためには，ユーザは，テレビ及び録画再生装置の電源をＯＮにした後，テレビ側でいわゆる入力切り替えによって映像の入力元が録画再生装置となるように切り替えた上で，録画再生装置側でメニューキーや十字キー等を用いて選択メニュー映像が出力されるように操作する必要があり，その操作が手間であるという問題点があった。
一方，例えば特許文献１には，電源がＯＮされたときに録画番組情報を映像として供給する録画再生装置（デジタル記録装置）が開示されている。この構成では，ユーザは，テレビ及び録画再生装置の電源をＯＮにした後，テレビ側で入力切り替え操作を行うことにより，録画再生装置からテレビに供給された映像に含まれた録画番組情報を見ることができる。
【特許文献１】特表２００５−５３３３３４号公報
【発明の開示】
【発明が解決しようとする課題】
【０００３】
しかしながら，前記特許文献１の技術を用いても，ユーザが録画番組情報を見るためには，録画再生装置の電源をＯＮすることや，テレビ側で入力切り替え操作を行うという作業が手間であるという問題は依然として残る。
また，前記特許文献１のような従来装置では，入力切り替え操作によって入力元になった録画再生装置からの映像だけしか表示することができないため，前記録画番組情報と該録画番組情報と関係のない映像とを同時に表示させることができないという問題がある。例えば，テレビジョン放送と前記録画番組情報とを同時に表示することや，複数の録画再生装置が接続されている場合にそのいずれか一つの録画再生装置からの映像と他の録画再生装置の録画番組情報とを同時に表示することはできない。
従って，本発明は上記事情に鑑みてなされたものであり，その目的とするところは，録画再生装置に録画された録画番組のうち予め設定された所定の期間に録画された録画番組に関する録画番組情報を表示させるためのユーザ操作を従来より簡略化すると共に，前記録画番組情報に関連のない映像を表示しながら該録画番組情報を表示させることのできる映像表示装置及び録画再生装置を提供することにある。
【課題を解決するための手段】
【０００４】
上記目的を達成するために本発明は，映像表示部を備え，映像信号を含む信号を伝送するＴＭＤＳ信号伝送ラインとＣＥＣ規格に準拠したＣＥＣ信号伝送ラインとを含みＨＤＭＩ規格に準拠した信号伝送を行うＨＤＭＩ信号伝送手段により，一又は複数の録画再生装置と通信可能に構成された映像表示装置であって，以下の（１）及び（２）に示す各構成要素を備えて構成される。
（１）当該映像表示装置の電源の立ち上がりを条件に，前記録画再生装置の記憶部に録画された録画番組のうち予め設定された所定の期間に録画された録画番組に関する録画番組情報を，前記ＨＤＭＩ信号伝送手段のＣＥＣ信号伝送ラインを通じて前記録画再生装置から取得する録画番組情報取得手段。
（２）前記録画番組情報取得手段により取得された前記録画番組情報を前記映像表示部に表示させる録画番組情報表示制御手段。
ここに，前記所定の期間は，例えば当該映像表示装置の電源がＯＮ又はＯＦＦされてから次に当該映像表示装置の電源がＯＮされるまでの期間や，前記録画再生装置の記憶部に録画された録画番組に最後にアクセスしたときから当該映像表示装置の電源がＯＮされるまでの期間などである。なお，前記録画番組情報は，番組名や放送日時，放送チャンネル，ジャンルなどである。
ここで，前記録画番組情報取得手段は，例えば前記録画番組情報の送信を前記ＣＥＣ信号伝送ラインを通じて前記録画再生装置に対して要求し，これに応じて前記ＣＥＣ信号伝送ラインを通じて返信される前記録画番組情報を取得するものであることが考えられる。
【０００５】
本発明に係る映像表示装置は、当該映像表示装置の電源の立ち上がりを条件に，前記録画再生装置の記憶部に録画された録画番組のうち予め設定された所定の期間に録画された録画番組に関する録画番組情報を，前記ＨＤＭＩ信号伝送手段のＣＥＣ信号伝送ラインを通じて前記録画再生装置から取得し，前記映像表示部に表示する。このように、前記映像表示装置では，前記ＣＥＣ信号伝送ラインを通じて前記録画番組情報が取得されるため，該録画番組情報に関連のない映像を表示しながら前記録画番組情報を同時に表示させることが可能となる。また，ユーザは、当該映像表示装置の電源を立ち上げるという簡単な操作を行うだけで，前記映像表示装置の前記映像表示部に前記録画番組情報を表示させることが可能となる。
【０００６】
また，以下の（３）及び（４）に示す各構成要素を備えて構成されることが考えられる。
（３）前記録画番組情報が前記映像表示部に表示された状態で，所定の操作部を通じた操作入力に従って前記録画番組を選択する録画番組選択手段。
（４）前記再生番組選択手段により選択された前記録画番組についての処理を実行することを，前記ＣＥＣ信号伝送ラインを通じて前記録画再生装置に指示する処理指示手段。
ここに，前記処理指示手段が前記録画再生装置に対して実行を指示する処理は，例えば前記録画番組の再生処理や削除処理などである。
このように構成された前記映像表示装置は，前記録画番組情報が前記映像表示部に表示された状態で所定の操作部を通じた操作入力に従って選択された前記録画番組についての再生処理や削除処理などを実行する。これにより，ユーザによる操作性を向上させることができる。
【０００７】
ところで，前記映像表示装置に接続された録画再生装置が複数である場合には，前記録画番組情報取得手段によって複数の前記録画再生装置から複数の前記録画番組情報が取得される。そこで，このような場合には，前記録画番組情報表示制御手段が，前記複数の前記記録番組情報を編成して前記映像表示部に表示させることが考えられる。これにより，ユーザは、前記映像表示装置の映像表示部及び操作部（リモコンなど）をマンマシンインターフェースとして、複数の録画再生装置それぞれにおける録画番組をまとめて把握でき、また、その録画番組の一部を選択して所定の処理（再生処理や削除処理など）を録画再生装置に指示することができる。
【０００８】
また，映像信号を含む信号を伝送するＴＭＤＳ信号伝送ラインとＣＥＣ規格に準拠したＣＥＣ信号伝送ラインとを含みＨＤＭＩ規格に準拠した信号伝送を行うＨＤＭＩ信号伝送手段により，映像表示部を備えた映像表示装置と通信可能に構成された録画再生装置であって，以下の（５）及び（６）に示す各構成要素を備えて構成される録画再生装置を，上記目的を達成する本発明として捉えることができる。
（５）前記映像表示装置の電源の立ち上がりを検知する電源立上検知手段。
（６）前記電源立上検知手段により前記映像表示装置の電源の立ち上がりが検知されたことを条件に，当該録画再生装置の記憶部に録画された録画番組のうち予め設定された所定の期間に録画された録画番組に関する録画番組情報を前記ＨＤＭＩ信号伝送手段のＣＥＣ信号伝送ラインを通じて前記映像表示装置に出力する録画番組情報表示出力手段。
具体的に，前記録画番組情報表示出力手段は、例えばＨＤＭＩ規格のＣＥＣ規格で規定された通信プロトコルのＯＳＤ表示コマンドを用いて前記録画番組情報を前記映像表示装置に送信することにより、該映像表示装置の前記映像表示部に前記録画番組情報を表示させるものである。
ここに，前記所定の期間は，例えば当該映像表示装置の電源がＯＮ又はＯＦＦされてから次に当該映像表示装置の電源がＯＮされるまでの期間や，前記録画再生装置の記憶部に録画された録画番組に最後にアクセスしたときから当該映像表示装置の電源がＯＮされるまでの期間などである。
なお，前記録画番組情報は，番組名や放送日時，放送チャンネル，ジャンルなどである。
【０００９】
このように構成された本発明に係る録画再生装置は、前記映像表示装置の電源の立ち上がりを検知したことを条件に，当該録画再生装置の記憶部に録画された録画番組のうち予め設定された所定の期間に録画された録画番組に関する録画番組情報を前記ＨＤＭＩ信号伝送手段のＣＥＣ信号伝送ラインを通じて前記映像表示装置に出力する。このように，前記録画再生装置は，前記録画番組情報を前記ＣＥＣ信号伝送ラインを通じて前記映像表示装置に出力するため，前記映像表示装置において，前記録画番組情報に関連のない映像を表示しながら前記録画番組情報を同時に表示させることが可能となる。また，ユーザは、当該映像表示装置の電源を立ち上げるという簡単な操作を行うだけで，前記映像表示装置の前記映像表示部に前記録画番組情報を表示させることが可能となる。
【発明の効果】
【００１０】
本発明によれば，前記映像表示装置の電源の立ち上がりを条件に，前記録画再生装置の記憶部に録画された録画番組のうち予め設定された所定の期間に録画された録画番組に関する録画番組情報が，前記ＨＤＭＩ信号伝送手段のＣＥＣ信号伝送ラインを通じて前記録画再生装置から前記映像表示装置に伝送されて前記映像表示部表示されるため，該録画番組情報に関連のない映像を表示しながら前記録画番組情報を同時に表示させることが可能となる。また，ユーザは、当該映像表示装置の電源を立ち上げるという簡単な操作を行うだけで，前記映像表示装置の前記映像表示部に前記録画番組情報を表示させることが可能となる。
【発明を実施するための最良の形態】
【００１１】
以下添付図面を参照しながら，本発明の実施の形態について説明し，本発明の理解に供する。なお，以下の実施の形態は，本発明を具体化した一例であって，本発明の技術的範囲を限定する性格のものではない。
ここに，図１は本発明の実施形態に係るテレビジョン受像機Ｘ及び録画再生装置Ｙを含む録画システムＺのブロック図，図２は録画番組情報のデータ構成の一例を示す図，図３は前記録画システムＺにおける録画番組表示処理の手順の一例を説明するフローチャート，図４は前記録画番組表示処理による表示画面の一例を示す図である。
まず，図１に示すブロック図を用いて，本発明の実施形態に係るテレビジョン受像機Ｘ及び録画再生装置Ｙを含む録画システムＺの構成について説明する。
図１に示すように，本発明の実施形態に係る録画システムＺは，映像表示部５を備えるテレビジョン受像機Ｘ（映像表示装置の一例）と，録画・再生機能を備える複数（図１では２台）の録画再生装置Ｙとが，ＨＤＭＩ規格に準拠した信号伝送手段であるＨＤＭＩインターフェースＷによって通信可能に構成されたシステムである。
【００１２】
ここで，前記ＨＤＭＩインターフェースＷは，映像信号及び音声信号（いずれもデジタル信号）を伝送するＴＭＤＳライン４１（ＴＭＤＳ信号伝送ラインに相当）と，ＨＤＭＩ規格のオプション規格であるＣＥＣ規格に準拠したＣＥＣライン４２（ＣＥＣ信号伝送ラインに相当）を含んでいる。なお，前記ＴＭＤＳライン４１は，複数本の信号ラインにより構成され，前記ＴＭＤＳライン４１及び前記ＣＥＣライン４２は，見かけ上１本のＨＤＭＩケーブル４０として構成されている。このＨＤＭＩインターフェースＷは，シンプルな配線と劣化のない信号伝送とを実現できる。また，前記ＨＤＭＩインターフェースＷは，符号化されていない（非圧縮の）映像信号及び音声信号を伝送（ベースバンド方式で伝送）するため，機器間における信号の符号化方式の違いに影響されず，拡張性及び永続性（将来，新たな符号化方式を採用する機器とも接続できる可能性）に優れている。
また，前記ＨＤＭＩインターフェースＷは，前記ＴＭＤＳライン４１を通じた映像信号及び音声信号の伝送に加え，前記ＣＥＣライン４２を通じてその他の情報（制御情報など）を伝送することが可能である。なお，前記ＨＤＭＩインターフェースＷは，前記ＴＭＤＳライン４１を通じた映像信号及び音声信号の伝送は一方向にのみ可能であるが，前記ＣＥＣライン４２を通じた情報伝送は双方向で可能である。
前記録画システムＺの特徴は，前記テレビジョン受像機Ｘの電源が立ち上げられた場合に，前記録画再生装置Ｙで録画された番組（録画番組）のうち予め設定された所定の期間に録画された録画番組に関する録画番組情報が，前記ＨＤＭＩインターフェースＷの前記ＣＥＣライン４２を通じて前記録画再生装置Ｙから前記テレビジョン受像機Ｘに伝送され，前記映像表示部５に表示される点にある。この詳細については後段で詳述する。
【００１３】
［テレビジョン受像機Ｘ］
本発明の実施形態に係るテレビジョン受像機Ｘは，図１に示すように，チューナ１，２つのＨＤＭＩ受信部（図中，ＨＤＭＩ−ＲＸと表記）２ｘａ，２ｙａ，ＣＥＣインターフェース２ｘｂ，映像切替回路３，映像処理回路４，映像表示部５，制御回路６，リモコンインターフェース（Ｉ／Ｆ）回路７，リモコン８，サブＭＰＵ９，音声切替回路１０，音声処理回路１１，アンプ１２及びスピーカ１３等を具備して構成されている。
【００１４】
前記チューナ１は，地上波放送信号やＢＳ衛星放送信号等の放送信号から，前記制御回路６により指示される放送チャンネルの信号を抽出（選局）するとともに，その抽出信号の検波によって映像信号及び音声信号を取り出し，その映像信号及び音声信号の各々を前記映像切替回路３及び前記音声切替回路１０各々へ伝送するものである。
また，前記ＨＤＭＩ受信部２ｘａ，２ｙａは，ＨＤＭＩ規格に準拠した信号伝送インターフェースである。このＨＤＭＩ受信部２ｘａ，２ｙａは，前記ＴＭＤＳライン４１を通じて，外部装置（ここでは，録画再生装置Ｙ）からベースバンド方式で映像信号及び音声信号を入力し，それらを前記映像切替回路３及び前記音声切替回路１０各々へ伝送する。
前記ＣＥＣインターフェース２ｘｂは，ＨＤＭＩ規格におけるＣＥＣ規格に準拠した信号伝送インターフェースである。このＣＥＣインターフェース２ｘｂは，前記ＣＥＣライン４２を通じて，外部装置（ここでは，録画再生装置Ｙ）との間で情報の送受信を行う。前記ＣＥＣインターフェース２ｘｂの受信情報の直接の伝送先及び送信情報の直接の供給元は，前記サブＭＰＵ９である。
図１に示す例では，前記テレビジョン受像機Ｘは，２台の前記録画再生装置Ｙそれぞれに対応する２つの前記ＨＤＭＩ受信部２ｘａ，２ｙａを備えている。また，前記ＣＥＣインターフェース２ｘｂは，２台の前記録画再生装置Ｙに対して１つだけ設けられている。
前記映像切替回路３は，前記チューナ１及び前記ＨＤＭＩ受信部２ｘａ，２ｙａからの映像信号を入力し，それらの映像信号のうちの任意の１つの映像信号を前記制御回路６からの指示に従って選択して出力するものである。
【００１５】
前記映像処理回路４は，前記映像切替回路３から出力された映像信号に対して各種信号処理を行うものである。例えば，前記映像処理回路４は，前記映像切替回路３からの映像信号に，前記制御回路６から指定された情報の映像をスーパーインポーズする（重ね合わせる）ＯＳＤ機能を備えている。
前記映像表示部５は，液晶パネル及び液晶ドライバを備えた液晶表示部などにより構成され，前記映像処理回路４から出力される映像信号に基づく映像を表示するものである。
【００１６】
前記音声切替回路１０は，前記チューナ１からの音声信号及び前記ＨＤＭＩ受信部２ｘａ，２ｙａからの音声信号が入力され，それらの音声信号のうちの任意の１つの音声信号を，前記制御回路６からの指示に従って前記音声処理回路１１に出力するものである。
前記音声処理回路１１は，前記音声切替回路１０から出力された信号に対し，イコライズ処理やＤ／Ａ変換処理等を行うものである。
前記アンプ１２は，前記音声処理回路１１による処理後の音声信号を，前記制御回路６からの指示に従って増幅或いは減衰させる処理（ボリューム調節処理）を行い，前記スピーカ１３に出力するものである。
【００１７】
前記制御回路６は，演算手段であるＭＰＵ６ａ，そのＭＰＵ６ａによって実行される制御プログラムが予め格納される記憶手段であるＲＯＭ６ｂ（ＥＰＲＯＭ），ＭＰＵ６ａが実行する処理において読み書きされる各種情報を記憶するＥＥＰＲＯＭ６ｃ等を備え，当該テレビジョン受像機Ｘ全体を制御するものである。以下に示す前記制御回路６の処理や機能は，前記ＭＰＵ６ａが前記ＲＯＭ６ｂに記憶されたプログラムを実行することによって実現される。
また，前記制御回路６は，前記テレビジョン受像機Ｘの電源がＯＮされた（立ち上げられた）場合やＯＦＦされた（立ち下げられた）場合に，その日時を前記ＥＥＰＲＯＭ６ｃに記憶する機能を有しており，該記憶された日時は後述する録画情報表示処理（図３のフローチャート参照，ステップＳ１０１）に用いられる。
前記リモコン８は，当該テレビジョン受像機Ｘの動作の制御用の無線信号（例えば，赤外線信号）を出力するリモート操作器であり，不図示の操作入力部や無線信号出力回路等を備えている。
前記操作入力部は，チャンネル選択キーや音量調節キーなど，情報入力のための操作部であり，その操作内容に応じた信号が前記無線信号出力回路に伝送される。また，前記無線信号出力回路は，前記操作入力部から伝送されてくる信号（即ち，テレビジョン受像機Ｘの動作の制御信号）を，無線信号（例えば，赤外線信号）に変換し，当該リモコン８からテレビ本体側へ無線伝送するものである。
一方，前記リモコンインターフェース回路７は，前記リモコン８から伝送される無線信号（赤外線信号等）を受信し，これを電気信号に変換することにより，前記リモコン８から伝送される各種情報を取得するとともに，その取得情報を前記サブＭＰＵ９に伝送するものである。
前記サブＭＰＵ９は，前記制御回路６と，前記リモコンインターフェース回路７及び前記ＣＥＣインターフェース２ｘｂとの間で情報伝送を中継する処理を実行するマイクロコンピュータである。
【００１８】
［録画再生装置Ｙ］
本発明の実施形態に係る録画再生装置Ｙは，図１に示すように，チューナ２１，録画・再生回路２２，ＨＤＤ２３（ハードディスクドライブ），ＨＤＭＩ送信部２５ａ，ＣＥＣインターフェース２５ｂ，制御回路２４，リモコンインターフェース回路２６，リモコン２７及びサブＭＰＵ２８等を具備して構成された所謂ハードディスクレコーダである。
ここで，前記チューナ２１，前記リモコンインターフェース回路２６，前記リモコン２７，前記サブＭＰＵ２８は，それぞれテレビジョン受像機Ｘにおける前記チューナ１，前記リモコンインターフェース回路７，前記リモコン８及び前記サブＭＰＵ９と同様のものである。
【００１９】
前記録画・再生回路２２は，放送番組の録画処理及び録画番組の再生処理を実行するものである。即ち，前記録画・再生回路２２は，前記チューナ２１により抽出された番組の放送信号（映像信号及び音声信号）を圧縮符号化して前記ＨＤＤ２３に記録する録画処理を実行する。さらに，前記録画・再生回路２２は，前記ＨＤＤ２３に録画（記録）された放送番組のデータを復号化しながら前記ＨＤＭＩ送信部２５ａを通じて外部出力する再生処理を実行する。
さらに，前記録画・再生回路２２は，前記チューナ２１により抽出された番組の放送信号から，そこに含まれるＥＰＧ情報（電子番組ガイド情報）を抽出して前記ＨＤＤ２３に記録するＥＰＧ取得機能も備えている。このＥＰＧ情報は，録画予約処理の際の予約番組の選択メニュー画面を生成する処理や，録画された番組（録画番組）の映像信号及び音声信号に関連付けて前記ＨＤＤ２３に記録される番組のタイトルや放送日時，チャンネル等を特定する処理を実行する際に用いられる。
【００２０】
前記ＨＤＭＩ送信部２５ａ（図中，ＨＤＭＩ−ＴＸと表記）は，ＨＤＭＩ規格に準拠した信号伝送インターフェースである。このＨＤＭＩ送信部２５ａは，前記ＴＭＤＳライン４１を通じて，外部装置（ここでは，テレビジョン受像機Ｘ）に対し，ベースバンド方式で映像信号及び音声信号を出力する。
前記ＣＥＣインターフェース２５ｂは，テレビジョン受像機Ｘにおける前記ＣＥＣインターフェース２ｘｂと同様に，ＨＤＭＩ規格におけるＣＥＣ規格に準拠した信号伝送インターフェースである。このＣＥＣインターフェース２５ｂは，前記ＣＥＣライン４２を通じて，外部装置（ここでは，テレビジョン受像機Ｘ）との間で情報の送受信を行う。前記ＣＥＣインターフェース２５ｂの受信情報の直接の伝送先及び送信情報の直接の供給元は，前記サブＭＰＵ２８である。
【００２１】
また，前記録画再生装置Ｙにおいて，前記ＨＤＭＩインターフェースＷの一部を構成する前記ＨＤＭＩ送信部２５ａ及び前記ＣＥＣインターフェース２５ｂと，前記サブＭＰＵ２８と，前記リモコンインターフェース回路２６とは，当該録画再生装置Ｙが商用電源に接続されている状態では，常時通電された状態となっている。一方，前記チューナ２１や前記制御回路２４，前記録画・再生回路２２及び前記ＨＤＤ２３等は，当該録画再生装置Ｙが商用電源に接続されている状態において，それらへの通電がなされた稼動状態（電源の立ち上がり状態）と，それらへの通電が遮断された前記待機状態（電源の立ち下がり状態）との２状態に切り替えられる。その２状態の切り替えは，前記サブＭＰＵ２８が不図示の通電スイッチの切り替え制御を行うことにより実現される。
即ち，前記サブＭＰＵ２８は，当該録画再生装置Ｙが前記待機状態である場合に，前記リモコン２７から前記リモコンインターフェース回路２６を通じて電源キーの操作信号が受信されたこと，或いは前記テレビジョン受像機Ｘから前記ＣＥＣインターフェース２５ｂを通じて自装置宛の何らかのコマンドが受信されたことを検知すると，前記通電スイッチをＯＦＦ状態からＯＮ状態へ切り替えることにより，当該録画再生装置Ｙを前記待機状態から前記稼動状態へ切り替える（即ち，電源が立ち上げられる）。
また，前記サブＭＰＵ２８は，当該録画再生装置Ｙが前記稼動状態である場合に，前記リモコン２７から前記リモコンインターフェース回路２６を通じて電源キーの操作信号が受信されたこと，或いは前記テレビジョン受像機Ｘから前記ＣＥＣインターフェース２５ｂを通じて停止コマンドが受信されたことを検知すると，前記通電スイッチをＯＮ状態からＯＦＦ状態へ切り替えることにより，当該録画再生装置Ｙを前記稼動状態から前記待機状態へ切り替える（即ち，電源が立ち下げられる）。
これにより，前記録画再生装置Ｙは，前記リモコン２７や前記テレビジョン受像機Ｘからのリモート制御によって，前記稼動状態と前記待機状態との切り替えが行われる。
【００２２】
前記制御回路２４は，演算手段であるＭＰＵ２４ａ，そのＭＰＵ２４ａによって実行される制御プログラムが予め格納される記憶手段であるＲＯＭ２４ｂ（ＥＰＲＯＭ），ＭＰＵ２４ａが実行する処理において読み書きされる各種情報を記憶するＥＥＰＲＯＭ２４ｃ等を備え，当該録画再生装置Ｙ全体を制御するものである。以下に示す前記制御回路２４の処理や機能は，前記ＭＰＵ２４ａが前記ＲＯＭ２４ｂに記憶されたプログラムを実行することによって実現される。
また，前記録画再生装置Ｙの前記制御回路２４は，前記録画・再生回路２２によって前記ＨＤＤ２３に記録されたＥＰＧ情報と，同じく予め前記ＨＤＤ２３に記録される番組予約情報とに基づいて，放送番組（映像及び音声）の予約録画を行う予約録画機能も有している。なお，予約録画機能は周知の機能であるので，ここでは詳細な説明は省略する。
【００２３】
また，前記制御回路２４は，前記録画・再生回路２２によって放送番組の録画が実行される際に，その録画番組に関する録画番組情報を関連付けて前記ＨＤＤ２３に記憶する。
ここに，図２は，前記録画番組情報のデータ構成の一例を表すものである。図２に示すように，前記録画番組情報は，番組内容の情報である番組タイトルｄ１，放送チャンネルｄ２，放送日時ｄ３及びジャンルｄ４等を含むものである。なお，ここで示す録画番組情報は一例に過ぎず，前記録画番組に関するその他の情報を含むものであってもよい。
なお，後述するように，前記録画再生装置Ｙは，前記テレビジョン受像機Ｘからの要求（指示）に応じて，前記録画番組情報（図２参照）のうち所定の期間に録画された録画番組情報を，前記ＣＥＣライン４２を通じて前記テレビジョン受像機Ｘに引き渡す（送信する）。
【００２４】
次に，図３に示すフローチャートを参照しつつ，前記録画システムＺにおける録画番組表示処理の手順の一例について説明する。ここで，以下に示すＳ１０１，Ｓ１０２，…は，前記テレビジョン受像機Ｘ側（図３中の左側）の処理手順（ステップ），Ｓ２０１，Ｓ２０２，…は，前記録画再生装置Ｙ側（図３中の右側）の処理手順（ステップ）の識別符号を表す。なお，図３に示す前記テレビジョン受像機Ｘ側の処理は，前記テレビジョン受像機Ｘの電源が立ち上げられた場合に開始されるものとする。
当該録画番組表示処理は，前記テレビジョン受像機Ｘと前記録画再生装置Ｙとが，前記ＨＤＭＩインターフェースＷのＣＥＣライン４２を通じて情報の授受を行いつつ実行する処理である。以下，先に前記テレビジョン受像機Ｘ側の処理について説明し，続けて前記録画再生装置Ｙ側の処理について説明する。
【００２５】
まず，前記録画番組表示処理における前記テレビジョン受像機Ｘ側の処理について説明する。
［ステップＳ１０１］
前記テレビジョン受像機Ｘの前記制御回路６は，前記テレビジョン受像機Ｘの電源が立ち上げられると，該テレビジョン受像機Ｘの電源がＯＦＦされてから今まで（即ち次の電源ＯＮまで）の待機期間（所定の期間の一例）を確定するための処理を実行する（Ｓ１０１）。具体的には，前述したように前記ＥＥＰＲＯＭ６ｃに記憶された前記テレビジョン受像機Ｘの電源ＯＮ／ＯＦＦの日時に関する情報に基づいて前記待機期間が確定される。
ここに，前記待機期間は，前記テレビジョン受像機Ｘの電源がＯＦＦされてから次に該テレビジョン受像機Ｘの電源がＯＮされるまでの期間に限られるものではなく，例えば，前記テレビジョン受像機Ｘの電源がＯＮされてから次に当該テレビジョン受像機Ｘの電源がＯＮされるまでの期間や，前記録画再生装置ＹのＨＤＤ２３に録画された録画番組に最後にアクセスしたときから前記テレビジョン受像機Ｘの電源がＯＮされるまでの期間などであることも他の実施例として考えられる。なお，前記待機期間は，ユーザによって適時，或いは前記テレビジョン受像機Ｘの初期設定時において予め設定される。また，前記待機期間に換えて，最近の数日間や数ヶ月間などを所定の期間として設定しておいてもよい。
【００２６】
［ステップＳ１０２］
そして，続くステップＳ１０２では，前記制御回路６は，前記待機期間中に録画された録画番組に関する録画番組情報の送信を要求するための要求コマンドを，前記ＣＥＣライン４２を通じて前記録画再生装置Ｙ各々に対して送信する（Ｓ１０２）。
なお，前記テレビジョン受像機Ｘにおける前記ＣＥＣライン４２を通じた通信制御（情報の送信及び受信の制御）は，前記ＣＥＣインターフェース２ｘｂにより行われる。ここで、前記要求コマンドは、ＨＤＭＩ規格のＣＥＣ規格で規定された通信プロトコルに従ったものである。具体的に、前記要求コマンドは、予め任意に設定される所謂ベンダーコマンド，或いは前記ＣＥＣ規格の標準コマンドを組み合わせたものである。
【００２７】
［ステップＳ１０３］
次に，前記制御回路６は，前記録画番組情報の要求に応じて前記録画再生装置Ｙ各々から返信される前記録画番組情報を，前記ＣＥＣライン４２（ＣＥＣ信号伝送ライン）を通じて受信する処理を実行する（Ｓ１０３）。ここに，ステップＳ１０２及びＳ１０３の処理を実行する前記制御回路６が，録画番組情報取得手段の一例である。
このとき，前記ステップＳ１０３では，前記制御回路６は，前記録画番組情報の要求コマンドの送信後の所定時間内に，前記録画再生装置Ｙ各々から前記録画番組情報が受信されたか否かを判別する。なお，前記制御回路６は，前記ＣＥＣライン４２を通じて，前記録画再生装置Ｙから後述する録画番組無し通知を受信した場合には，その前記録画再生装置Ｙからは前記録画番組情報は受信されなかったと判別する。
【００２８】
［ステップＳ１０５，Ｓ１０６］
そして，前記制御回路６は，前記ステップＳ１０３において前記録画番組情報が１以上の前記録画再生装置Yから受信されなかったことを確認すると，処理をステップＳ１０５に移行させる。そして，前記制御回路６は，前記待機期間中に録画された録画番組が存在しない旨のメッセージを前記映像表示部５にＯＳＤ表示させ（Ｓ１０５），一定時間後に表示中のＯＳＤ表示を消去（Ｓ１０６）させた後，当該録画番組表示処理を終了させる。
【００２９】
［ステップＳ１０４，１０６］
一方，前記制御回路６は，前記ステップＳ１０３において前記録画番組情報が１以上の前記録画再生装置Yから受信されたことを確認すると，その録画番組情報を表示するための録画番組選択メニューｖ１の映像（画面）を生成し，その映像を映像表示部５にＯＳＤ表示させ（Ｓ１０４），一定時間後に表示中のＯＳＤ表示を消去（Ｓ１０６）させた後，当該録画番組表示処理を終了させる。ここに，かかる処理を実行するときの前記制御回路６が録画番組情報表示制御手段の一例である。
このとき，前記制御回路６は，複数の前記録画再生装置Ｙから複数の録画番組情報が受信された場合には，その複数の録画番組情報を編成して前記録画番組選択メニューｖ１の映像を生成する。
ここに，図４は，前記録画番組選択メニューｖ１のＯＳＤ表示画面の一例である。図４に示すように，前記制御回路６は，前記映像表示部５に，既に表示中の映像ｖ０とともに，複数の前記録画再生装置Ｙから受信された複数の録画番組情報を編成したリストをＯＳＤ表示により一覧表示させる。なお，前記録画番組情報を送信した前記録画再生装置Ｙを識別するための識別情報（例えば機種名やアドレスなど）なども表示される。
ここで，前記映像ｖ０は，例えば前記チューナ１から前記映像処理回路４に入力されたテレビジョン放送や，前記録画再生装置Ｙから入力された映像などであって，前記録画番組選択メニューｖ１に含まれた前記録画番組情報とは必ずしも関連するものではない。即ち，前記テレビジョン受像機Ｘでは，前記ＣＥＣライン４２を介して前記録画番組情報が受信されて前記映像表示部５にＯＳＤ表示されるため，前記録画再生装置Ｙから受信した前記録画番組情報を，該録画番組情報と関連のない例えばテレビジョン放送や該録画番組情報を送信した録画再生装置Ｙとは別の録画再生装置Ｙからの映像などと同時に表示することが可能である。
その他，前記制御回路６が，既に表示中の前記映像ｖ０と，前記録画番組選択メニューｖ１の映像とをマルチ画面表示させることや，前記録画番組選択メニューｖ１の映像のみを表示させることも考えられる（不図示）。
以上の処理が，前記録画番組表示処理におけるテレビジョン受像機Ｘ側の処理である。
【００３０】
次に，前記録画番組表示処理における前記録画再生装置Ｙ側の処理について説明する。
［ステップＳ２０１，Ｓ２０２］
前記録画再生装置Ｙ側では，まず，前記制御回路２４が，前記ＣＥＣライン４２を通じて前記テレビジョン受像機Ｘから前記ステップＳ１０２の処理で送信される前記録画番組情報の要求コマンドを受信する処理を実行する（Ｓ２０１）。なお，当該録画再生装置Ｙが前記待機状態である場合には，まず，前記サブＭＰＵ２８が，自装置宛のコマンドが受信された時点で，前記通電スイッチを制御することによって前記待機状態から前記稼動状態へ切り替え（即ち，起動し），これによって起動した前記制御回路２４が，受信されたコマンド内容の判別を行う。
そして，前記制御回路２４は，前記要求コマンドが受信されたことを確認すると（前記テレビジョン受像機Ｘからの要求に応じて），前記ＨＤＤ２３に記憶されている録画番組うち，前記要求コマンドによって指定された前記待機期間中に録画された録画番組を特定するための検索処理を実行する（Ｓ２０２）。なお，後述の実施例１と同様に，前記録画再生装置Ｙ側で前記待機期間を確定してもよい。
【００３１】
［ステップＳ２０３〜Ｓ２０５］
次に，前記録画再生装置Ｙの前記制御回路２４は，前記ステップＳ２０２における録画番組の検索処理によって１つ以上の録画番組が特定されたか否かを判別する（Ｓ２０３）。
ここで，前記制御回路２４は，録画番組が１つも特定されなかったと判別した場合には，録画番組が存在しない旨を表す通知である前記録画候補無し通知を，前記ＣＥＣライン４２を通じて前記テレビジョン受像機Ｘに送信し（Ｓ２０５），その後，処理を前述したステップＳ２０１へ戻す。その際，前記サブＭＰＵ２８は，前記テレビジョン受像機Ｘから要求コマンドを受信する前の状態が前記待機状態であった場合には，前記通電スイッチを制御することにより，当該録画再生装置Ｙを前記稼動状態から前記待機状態へ切り替える（元の状態へ戻す）。
【００３２】
一方，前記制御回路２４は，前記ステップＳ２０３において，録画番組が１つ以上特定されたと判別した場合は，その特定された録画番組に関する録画番組情報を抽出し，その録画番組情報と自己の識別情報を示す識別情報（例えば機種名やアドレスなど）とを対応づけて，前記ＣＥＣライン４２を通じて前記テレビジョン受像機Ｘに送信する（Ｓ２０４）。このとき、前記制御回路２４は、ＨＤＭＩ規格におけるＣＥＣ規格で規定された通信プロトコルのＯＳＤ表示コマンドを用いて前記録画番組情報を送信する。
なお，前記録画番組情報は，図２に示したように，番組内容の情報である番組タイトルｄ１，放送チャンネルｄ２，放送日時ｄ３及びジャンルｄ４等を含むものである。
【００３３】
以上，説明したように，前記録画システムＺでは，前記テレビジョン受像機Ｘが，該テレビジョン受像機Ｘの電源の立ち上がりを条件に，前記録画再生装置Ｙにおいて前記待機期間中に録画された録画番組に関する録画番組情報を，前記ＣＥＣライン４２を通じて取得して表示するため，前記録画番組情報を該録画番組情報の送信元とは別の場所から入力された映像と同時に表示させることが可能である。例えば，図１に示す一方の録画再生装置Ｙから入力された映像や音声を視聴している場合であっても，他方の録画再生装置Ｙから入力された録画番組情報を同時に表示させることができる。また，前記チューナ１から前記映像処理回路４に入力されたテレビジョン放送と同時に表示することもできる。
しかも，ユーザは，前記テレビジョン受像機Ｘの電源を立ち上げるという簡単な操作を行うだけで，該テレビジョン受像機Ｘの映像表示部５に，前記録画再生装置Ｙで前記待機期間中に録画された録画番組に関する前記録画番組情報を表示させて確認することができる。
【００３４】
さらに，複数の前記録画再生装置Ｙから録画番組情報が受信された場合には，それらの情報が一覧で表示されるため，ユーザは，複数の前記録画再生装置Ｙに断片的に存在する録画番組を容易に把握することが可能である。
なお，本実施の形態では，前記録画再生装置Ｙから送信される前記録画番組情報に，番組内容の情報である番組タイトルｄ１，放送チャンネルｄ２，放送日時ｄ３及びジャンルｄ４等が含まれる場合について説明した。一方，前記テレビジョン受像機ＸのＥＥＰＲＯＭ６ｃにＥＰＧ情報（電子番組ガイド情報）を記憶させておき，前記録画再生装置Ｙから送信される前記録画番組情報として録画番組を識別する識別コードを用い，前記テレビジョン受像機Ｘ側で前記ＥＰＧ情報から前記識別コードに対応する録画番組の番組タイトルや放送チャンネル，放送日時，ジャンル等を抽出して表示することも他の実施例として考えられる。
【００３５】
また，図１に示した前記録画システムＺは，前記テレビジョン受像機Ｘと前記録画再生装置Ｙとが，前記ＨＤＭＩインターフェースＷにより直接的に接続された構成を示したが，本発明の実施形態はこれに限るものではない。例えば，前記テレビジョン受像機ＸとＳＴＢ（セットトップボックス）又は前記録画再生装置Ｙとが前記ＨＤＭＩインターフェースＷにより接続され，そのＳＴＢ又は前記録画再生装置Ｙと他の前記録画再生装置Ｙとがさらに前記ＨＤＭＩインターフェースＷにより接続された構成（間接的に接続された構成）も考えられる。
【実施例１】
【００３６】
本実施例１では，図５を用いて，前記映像システムＺにおいて実行される録画番組表示処理の他の例について説明する。なお，前記映像システムＺと同様の構成要素には同じ符号を用いて説明する。
ここに，図５は前記映像システムＺにおいて実行される録画番組表示処理の他の例を説明するためのフローチャートである。ここに，以下に示すＳ３０１，Ｓ３０２，…は，前記テレビジョン受像機Ｘ側（図５中の左側）の処理手順（ステップ），Ｓ４０１，Ｓ４０２，…は，前記録画再生装置Ｙ側（図５中の右側）の処理手順（ステップ）の識別符号を表す。なお，図５に示す処理は，前記テレビジョン受像機Ｘの電源が立ち上げられた場合に開始されるものとする。
本実施例１で説明する録画番組表示処理は，前記録画再生装置Ｙが前記テレビジョン受像機Ｘの電源の立ち上がり時に，自動的に前記録画番組情報を前記テレビジョン受像機Ｘに出力するための処理を実行する点で，前記実施の形態で説明した録画番組表示処理（図３参照）と相違する。以下，具体的に説明する。
【００３７】
本実施例１に係る前記録画再生装置Ｙの前記サブＭＰＵ２８は，前記ＣＥＣライン４２を通じて前記テレビジョン受像機Ｘの電源のＯＮ／ＯＦＦを検知する機能を有している。ここに，かかる機能を具現する前記サブＭＰＵ２８が電源立上検知手段の一例である。なお，前記テレビジョン受像機Ｘの電源のＯＮ／ＯＦＦを検知するための処理は，ＨＤＭＩ規格で規定されたものであるため，ここではその説明を省略する。
また，前記サブＭＰＵ２８は，前記テレビジョン受像機Ｘの電源がＯＮされた（立ち上げられた）場合やＯＦＦされた（立ち下げられた）場合に，その日時を所定のメモリに記憶する機能を有しており，該記憶された日時は後述する録画情報表示処理（図５のフローチャート参照，ステップＳ４０２）に用いられる。
【００３８】
図５に示す前記録画番組表示処理は，前記テレビジョン受像機Ｘと前記録画再生装置Ｙとが，前記ＨＤＭＩインターフェースＷのＣＥＣライン４２を通じて情報の授受を行いつつ実行する処理である。以下，先に前記録画再生装置Ｙ側の処理について説明し，続けて前記テレビジョン受像機Ｘ側の処理について説明する。
まず，前記録画番組表示処理における前記録画再生装置Ｙ側の処理について説明する。
【００３９】
［ステップＳ４０１］
前記録画再生装置Ｙでは，前記サブＭＰＵ２８の電源立上検知機能によって，前記テレビジョン受像機Ｘの電源が立ち上げられたか否かが判断される（Ｓ４０１）。
このとき，前記テレビジョン受像機Ｘの電源が立ち上げられたと判断された場合には（Ｓ４０１のＹｅｓ側），処理はステップＳ４０２に移行し，電源が立ち上げられたと判断されない場合には（Ｓ４０１のＮｏ側），処理は前記ステップＳ４０１を繰り返し実行する。
ここで，前記サブＭＰＵ２８によって，前記テレビジョン受像機Ｘの電源が立ち上げられたと判断された場合に，当該録画再生装置Ｙが前記待機状態である場合には，前記サブＭＰＵ２８は，前記テレビジョン受像機Ｘの電源の立ち上がりが検知された時点で，前記通電スイッチを制御することによって前記待機状態から前記稼動状態へ切り替え（即ち，起動し），これによって前記制御回路２４が起動される。
【００４０】
［ステップＳ４０２］
ステップＳ４０２では，前記制御回路２４によって，前記テレビジョン受像機Ｘの電源がＯＦＦされてから今まで（即ち次の電源ＯＮまで）の待機期間（所定の期間の一例）を確定するための処理が実行される。具体的には，前述したように前記サブＭＰＵ２８によって所定のメモリに記憶された前記テレビジョン受像機Ｘの電源ＯＮ／ＯＦＦの日時に関する情報に基づいて前記待機期間が確定される。
ここに，前記待機期間は，前記テレビジョン受像機Ｘの電源がＯＦＦされてから次に該テレビジョン受像機Ｘの電源がＯＮされるまでの期間に限られるものではなく，例えば，前記テレビジョン受像機Ｘの電源がＯＮされてから次に当該テレビジョン受像機Ｘの電源がＯＮされるまでの期間や，前記録画再生装置ＹのＨＤＤ２３に録画された録画番組に最後にアクセスしたときから前記テレビジョン受像機Ｘの電源がＯＮされるまでの期間などであることも他の実施例として考えられる。なお，前記待機期間は，ユーザによって適時，或いは前記録画再生装置Ｙの初期設定時において予め設定される。
【００４１】
［ステップＳ４０３］
そして，前記制御回路２４は，前記ステップＳ４０２において前記待機期間が特定されると自動的に，前記ＨＤＤ２３に記憶されている録画番組うち，前記要求コマンドによって指定された前記待機期間中に録画された録画番組を特定するための検索処理を実行する（Ｓ４０３）。
【００４２】
［ステップＳ４０４〜Ｓ４０６］
次に，前記録画再生装置Ｙの前記制御回路２４は，前記ステップＳ４０３における録画番組の検索処理によって１つ以上の録画番組が特定されたか否かを判別する（Ｓ４０４）。
ここで，前記制御回路２４は，録画番組が１つも特定されなかったと判別した場合には，録画番組が存在しない旨を表す通知である前記録画候補無し通知を，前記ＣＥＣライン４２を通じて前記テレビジョン受像機Ｘに送信し（Ｓ４０６），その後，処理を前述したステップＳ４０１へ戻す。その際，前記サブＭＰＵ２８は，前記テレビジョン受像機Ｘの立ち上がりが検知される前の状態が前記待機状態であった場合には，前記通電スイッチを制御することにより，当該録画再生装置Ｙを前記稼動状態から前記待機状態へ切り替える（元の状態へ戻す）。
【００４３】
一方，前記制御回路２４は，前記ステップＳ４０４において，録画番組が１つ以上特定されたと判別した場合は，その特定された録画番組に関する録画番組情報を抽出し，その録画番組情報と自己の識別情報を示す識別情報（例えば機種名やアドレスなど）とを対応づけて，前記ＣＥＣライン４２を通じて前記テレビジョン受像機Ｘに送信する（Ｓ４０５）。このとき、前記制御回路２４は、ＨＤＭＩ規格におけるＣＥＣ規格で規定された通信プロトコルのＯＳＤ表示コマンドを用いて、前記ＣＥＣライン４２を通じて前記録画番組情報を送信する。ここに，かかる送信処理を実行するときの前記制御回路２４が録画番組情報表示出力手段に相当する。
なお，前記録画番組情報は，図２に示したように，番組内容の情報である番組タイトルｄ１，放送チャンネルｄ２，放送日時ｄ３及びジャンルｄ４等を含むものである。
以上の処理が，前記録画番組表示処理における録画再生装置Ｙ側の処理である。
【００４４】
次に，前記テレビジョン受像機Ｘ側の処理について説明する。
［ステップＳ３０１，Ｓ３０３，３０４］
ステップＳ３０１では，前記制御回路６は，前記録画再生装置Ｙから前記録画番組情報が受信されたか否かを判別する。なお，前記制御回路６は，前記ＣＥＣライン４２を通じて，前記録画再生装置Ｙから前記録画番組無し通知を受信した場合には，その前記録画再生装置Ｙからは前記録画番組情報は受信されなかったと判別する。
そして，前記制御回路６は，前記ステップＳ３０１において前記録画番組情報が１以上の前記録画再生装置Yから受信されなかったことを確認すると，処理をステップＳ３０３に移行させる。そして，前記制御回路６は，前記待機期間中に録画された録画番組が存在しない旨のメッセージを前記映像表示部５にＯＳＤ表示させ（Ｓ３０３），一定時間後に表示中のＯＳＤ表示を消去（Ｓ３０４）させた後，当該録画番組表示処理を終了させる。
【００４５】
［ステップＳ３０２，３０４］
一方，前記制御回路６は，前記ステップＳ３０１において前記録画番組情報が１以上の前記録画再生装置Yから受信されたことを確認すると，その録画番組情報を表示するための録画番組選択メニューｖ１の映像（画面）を生成し，その映像を映像表示部５にＯＳＤ表示させ（Ｓ３０２），一定時間後に表示中のＯＳＤ表示を消去（Ｓ３０４）させた後，当該録画番組表示処理を終了させる。なお，前記ステップＳ３０２は，前記ステップＳ１０４（図３のフローチャート参照）と同様の処理である。
【００４６】
以上，説明したように，本実施例１の構成では，前記テレビジョン受像機Ｘの電源の立ち上がりを条件に，前記録画再生装置Ｙにおいて前記待機期間中に録画された録画番組が，自動的に，前記録画再生装置Ｙから前記テレビジョン受像機Ｘの映像表示部５に前記ＣＥＣライン４２を通じて出力されて表示されるため，前記録画番組情報を該録画番組情報の送信元とは別の場所から入力された映像と同時に表示させることが可能である。例えば，図１に示す一方の録画再生装置Ｙから入力された映像や音声を視聴している場合であっても，他方の録画再生装置Ｙから入力された録画番組情報を同時に表示させることができる。また，前記チューナ１から前記映像処理回路４に入力されたテレビジョン放送と同時に表示することもできる。
しかも，ユーザは，前記テレビジョン受像機Ｘの電源を立ち上げるという簡単な操作を行うだけで，該テレビジョン受像機Ｘの映像表示部５に，前記録画再生装置Ｙで前記待機期間中に録画された録画番組に関する前記録画番組情報を表示させて確認することができる。
【００４７】
また，前記実施の形態及び本実施例１で説明した録画番組表示処理（図３又は図５参照）によって前記録画番組選択メニューｖ１が表示されている状態（Ｓ１０４又はＳ３０２）において，その録画番組選択メニューｖ１に含まれた録画番組の再生処理や削除処理などの実行を，前記テレビジョン受像機Ｘから前記録画再生装置Ｙに指示することが可能な構成が考えられる。これにより，ユーザによる操作性を向上させることができる。
具体的には，前記テレビジョン受像機Ｘの前記制御回路６が，ユーザの前記リモコン８による操作入力に従って表示された録画番組を選択する。ここに，かかる処理を実行するときの前記制御回路６が録画番組選択手段に相当する。そして，前記制御回路６は，ユーザの前記リモコン８による操作入力に従って，前記選択された録画番組について再生処理や削除処理などを実行することを前記録画再生装置Ｙに指示する。ここで，前記指示は，前記ＣＥＣライン４２を通じて前記録画再生装置Ｙに処理指示コマンドを送信することによって行われる。前記処理指示コマンドには，処理対象である録画番組の録画番組情報と，処理内容（再生か削除か）を表す情報とが含められる。ここに，かかる処理を実行するときの前記制御回路６が処理指示手段に相当する。
【図面の簡単な説明】
【００４８】
【図１】本発明の実施形態に係るテレビジョン受像機Ｘ及び録画再生装置Ｙを含む録画システムＺのブロック図。
【図２】録画番組情報のデータ構成の一例を示す図
【図３】本発明の実施形態に係る録画システムＺにおける録画番組表示処理の手順の一例を説明するフローチャート。
【図４】本発明の実施形態に係る録画システムＺにおける録画番組表示処理による表示画面の一例を示す図。
【図５】録画番組表示処理の他の例を説明するためのフローチャート。
【符号の説明】
【００４９】
Ｘ…テレビジョン受像機（映像表示装置の一例）
Ｙ…録画再生装置
Ｚ…録画システム
１，２１…チューナ
２ｘａ，２ｙａ…ＨＤＭＩ受信部
２ｘｂ，２５ｂ…ＣＥＣインターフェース
３…映像切替回路
４…映像処理回路
５…映像表示部
６，２４…制御回路
７，２６…リモコンインターフェース回路
８，２７…リモコン
９，２８…サブＭＰＵ
１０…音声切替回路
１１…音声処理回路
１２…アンプ
１３…スピーカ
２２…録画・再生回路
２３…ＨＤＤ
２５ａ…ＨＤＭＩ送信部
４０…ＨＤＭＩケーブル
４１…ＴＭＤＳライン
４２…ＣＥＣライン
ｄ１…番組タイトル
ｄ２…放送チャンネル
ｄ３…放送日時
ｄ４…ジャンル
Ｓ１０１，Ｓ１０２，〜…処理手順（ステップ）番号
【図１】
2008103789.tif 000003
【図２】
2008103789.tif 000004
【図３】
2008103789.tif 000005
【図４】
2008103789.tif 000006
【図５】
2008103789.tif 000007